(57)【要約】      （修正有）【課題】テレビやパソコン等を見るとき目が疲れにくいフレームを提供する。【解決手段】材質を主にプラスチックとした直径４ｃｍ程度の丸型フレーム２自体から、前面円筒形に近い状態で長さ１０ｃｍ程延ばした円筒形状のフレーム２ａを左右２本用意し、先端両辺を一致させ目じりの部分を２．５ｃｍ程度開き手前に左右７度計１４度程の角度をつけ、限られた筒の穴から光が乱反射せずに、又、屈せずに網膜にとどくようにする円筒形状のフレーム２ａの厚さは手前２ｍｍ〜３ｍｍとし、先端部１ｍｍ程度となるように薄く延ばす。二つの円筒形の中間部分は補強のために厚さ１ｍｍ〜２ｍｍのプレート２ｃでつなぎ合わせる。又、フレームの目じりから光が入らない様にゴムパッキン等の突起３を施す。【選択図】図１
0003149021.tif 000002
【実用新案登録請求の範囲】
【請求項１】
材質を主にプラスチックとし直径４ｃｍ程度の丸型フレーム自体を前面円筒形に近い状態で長さ１０ｃｍ程手前厚さ２ｍｍ〜３ｍｍとし先端部１ｍｍ程度まで薄く伸ばし先端両面を一致させ目じりの部分を２．５ｃｍ程度開き手前に左右７度、計１４度程の角度をつけた薄くて軽量な物で、内側から見て光の透らない濃い緑もしくは黒系統とし、二つの円筒形の中間部分を補強するため厚さ１ｍｍ〜２ｍｍのプレート（２ｃ）でつなぎ合わせレンズを着脱可能なレンズポケット（１）及びカバー（１ａ）を設け周囲から光が入らない様に厚さ３ｍｍ〜５ｍｍ程幅１ｍｍ程度の黒くて軟らかいゴムパッキン等の突起（３）をつけた２連フレーム。
【請求項２】
円筒形のフレームの鼻パット（７）を取り去り目じりに当たる部分をフラットにカットし、圧迫感がかからないように厚さ５ｍｍ程度幅２ｍｍ〜３ｍｍ程度の軟らかくて黒いゴムパッキン（８）等で縁取りをした目じりにやさしい２連フレーム。
【請求項３】
安全性をキープするため鼻パットを取り去り更に直角フレーム（５）も取り去り目じりの部分を競泳用のゴーグルに用いられているようなゴムベルト（１０）を用いて円筒形のフレームの目じりの部分を円くカットし水泳用のゴーグル形式のフレーム本体（２ｂ）に黒くて軟らかいゴムパッキン（８ａ）更に薄いクッション材（８ｂ）を施し直接円筒形のフレーム両サイドにゴムベルト（１０）をビス（９）で固定し両サイドから後ろへ持っていきクリップホルダー（１１）で長さを調節する２連フレーム。
【考案の詳細な説明】
【技術分野】
【０００１】  本考案は、メガネ及びフレームに関する技術分野である。
【背景技術】
【０００２】  現在、一般的に目に優しいピンホール仕様視力トレーニングメガネが流通しているがこれでは単に視力トレーニング用としてしか用途がなく直接テレビやパソコン等をみるにはあまりにもホールが小さすぎて見えずらい難点がある。又、一般に普及しているサングラスでは画面の色がはっきり見えずらいし、サングラスだけではやはり目が疲れやすい難点がある。
【考案の開示】
【考案が解決しようとする課題】
【０００３】  テレビやバソコン等を見るとき目が疲れにくいフレームの開発。
【課題を解決するための手段】
【０００４】  本考案は、直径４ｃｍ程度長さ１０ｃｍ程度の円筒形状に突き出たフレームを左右２本使って限られた筒の穴から光が乱反射せずに、又屈せずに網膜にとどくようにする。
【考案の効果】
【０００５】  上述の様に、本考案のフレームを使用することによりテレビやパソコン等を見るとき目が疲れにくい効果をもつ。
【考案を実施するための最良の形態】
【０００６】  材質を主にプラスチックとし直径４ｃｍ程度の丸型フレーム自体を前面円筒形に近い状態で長さ１０ｃｍ程薄く伸ばし先端両辺を一致させ目じりの部分を２．５ｃｍ程度開き手前に左右７度、計１４度程の角度をつける。これでピントがあう。フレームは薄くて軽量な物が良いが内側から見て光の透らない濃い緑もしくは黒系統とする。円筒形の部分の厚さは手前２〜３ｍｍとし先端部１ｍｍ程度となるように徐徐に薄く伸ばす。二つの円筒形の中間部分は補強のために１ｍｍ〜２ｍｍの薄いプレートでつなぎ合わせる。尚、フレームの目側上下左右等周囲から光が入らない様に厚さ３ｍｍ〜５ｍｍ程幅１ｍｍ程度の黒くて軟らかいゴムパッキン等の突起を周囲に施す。
又、普段視力が弱いなどメガネを使用している人の場合、レンズは本フレームにレンズポケットを設け上半分に溝を作りレンズを下半分に挿入し下半分で固定するものとする。上半分はカバーをはめ込み式に別途作成し装着する。この時サングラスを使用しないと目に支障をきたす場合はレンズポケットにサングラスレンズを挿入してもよい。
メガネを掛けなくて良い人の場合は上述のメガネのレンズを挿入せずフレームのみを使用し上半分にカバーを装着する。
又は、以下に述べる別のフレームを作成し使用する。
別のフレームとは、上述した円筒形のフレームの鼻パットを取り去り目じりに当たる部分をフラットにカットして直接隙間なく目じりにフィットさせるものである。この時、目じりに圧迫感がかからないように厚さ５ｍｍ程度幅２ｍｍ〜３ｍｍ程度の軟らかくて黒いパッキン又はスポンジ等の縁取りを施す。
上述の目じりにフィットさせるフレームの円筒形の部分は材質として従来のプラスチックやポリアミド、セル、チタンなどの替りに紙でも作ることが可能である。例えばトイレットペーパーの心棒のような物が有効である。
更に、安定性をキープするため鼻パットを取り去り目じりの部分を競泳用のゴーグルに用いられているようなゴムを用いて円筒形のフレームの目じりの部分を円くカットし黒くて軟らかい厚さ５ｍｍ程度幅３ｍｍ〜５ｍｍ程度のゴムパッキン又はスポンジ等を施し耳かけ用のフレームを根元から取り去り、直接円筒形のフレーム両サイドにゴムベルト等をつなぎ、幅１０ｍｍ程度、フレーム根元側厚さ５ｍｍ〜６ｍｍ程度を両サイドから後ろへまわし、徐徐に薄くして長さ５ｃｍ程でいっきに厚さ２ｍｍくらいまで薄くしていき頭の後ろ側厚さ１ｍｍ〜２ｍｍまで細くしクリップホルダーで長さを調節するものである。この時ゴムベルト一方の全長は２５ｃｍ程度とする。
【実施例】
【０００７】  以下、添付図面によって実施例を説明する。１は上述した常時メガネを使用している人用のフレームでレンズポケットをさす。レンズを外せばメガネを掛けていない人用のフレームとなる。  １ａはレンズポケットの上ぶたで脱着可能である。
２は直径４ｃｍ程度の丸型フレーム本体で２ａはブラスチック等を用い前面に円筒形状態に長さ１０ｃｍ程度薄く伸ばし先端両辺をくっつけて目じりの部分を２．５ｃｍ程度開き手前に左右７度、計１４度程の角度をつけた円筒形の筒である。２ｃは二つの円筒形どおしの中間を補強する為のプレートで厚みは１ｍｍ〜２ｍｍとする。フレームは薄くて軽量な物が良いが内側から見て光の透らない濃い緑もしくは黒系統とする。３はフレームの目横側等周囲から光が入らないように厚さ３ｍｍ〜５ｍｍ程度幅１ｍｍ程度ゴムパッキン等の突起を周囲につけたものである。
４は耳かけ用フレームで５の直角フレームを６のネジで内側に曲がるようジョイントしている。４の長さは１３ｃｍ程である。【０００８】  ８はメガネのレンズをつけなくて良い人用の目じりに圧迫感がかからないような厚さ５ｍｍ程度幅２ｍｍ〜３ｍｍ程度の軟らかくて黒いゴムパッキン等である。ここでは７の鼻パットを取り去り８のみでフィット装着している。【０００９】  ２ｂは更に安定性をキープするために鼻パットを取り去り目じりの部分を競泳用のゴーグルのように円くカットした丸型フレーム本体である。８ａは２ｂに添うように８ｂで弾力をつけた黒くて軟らかい厚さ５ｍｍ程度幅３ｍｍ〜５ｍｍ程度のクッション性の高いゴムパッキンである。【００１０】  １０のゴムベルトを２ｂ本体に９のビスで固定し両サイドから後ろへ延ばし１１のク
リップホルダーで長さを調整し１０ａで固定する。
【図面の簡単な説明】
【００１１】
【図１】レンズポケット付きの円筒形筒２連フレームの上面図である。
【図２】図１の正面図である。丸の中の黒い部分は円筒形のフレームの内面である。
【図３】図２の側面図である。耳にかかるフレームの長さは１３ｃｍ程であるが図面の関係上中央部分を省略している。
【図４】レンズなし耳パットなしのフラット状ゴムパッキン付きの円筒形フレーム上面図である。
【図５】図４の正面図である。丸の中の黒い部分は円筒形のフレームの内面である。
【図６】図４の側面図である。耳にかかるフレームの長さは１３ｃｍ程であるが図面の関係上中央部分を省略している。
【図７】競泳用のゴーグルにヒントを得た丸みのあるクッション性の高い円筒形フレーム上面図である。
【図８】図７の正面図である。
【図９】図７の側面図である。図面の関係上円筒形フレーム中央部分を省略している。
【符号の説明】
【００１２】１      レンズポケット下半分
１ａ    脱着可能レンズポケット上半分カバー
２      フレーム本体
２ａ    円筒形フレーム
２ｂ    水泳用のゴーグル形式のフレーム本体
２ｃ    円筒形のフレーム補強用プレート
３      光遮へい用のゴムパッキン等の突起
４      耳かけ用フレーム
５      直角フレーム
６      接合ネジ
７      鼻パット
８      黒いゴムパッキン
８ａ    水泳用のゴーグル形式の黒いゴムパッキン
８ｂ    薄いクッション材
９      ビス
１０    ゴムベルト
１０ａ  ゴムベルト長さ調整部分
１１    クリップホルダー
【図１】
0003149021.tif 000003
【図２】
0003149021.tif 000004
【図３】
0003149021.tif 000005
【図４】
0003149021.tif 000006
【図５】
0003149021.tif 000007
【図６】
0003149021.tif 000008
【図７】
0003149021.tif 000009
【図８】
0003149021.tif 000010
【図９】
0003149021.tif 000011
【手続補正書】
【提出日】平成20年11月24日(2008.11.24)
【手続補正１】
【補正対象書類名】実用新案登録請求の範囲
【補正対象項目名】全文
【補正方法】変更
【補正の内容】
【実用新案登録請求の範囲】
【請求項１】
材質を主にプラスチックとし直径４ｃｍ程度の丸型フレーム自体を前面円筒形状態で長さ１０ｃｍ程、手前厚さ２ｍｍ〜３ｍｍとし、その先端部が約１ｍｍになるくらいに薄く伸ばし先端両面をくっつけて、目じりの部分を２．５ｃｍ程度開き手前に左右７度、計１４度程の角度をつけた薄くて軽量な物で、内側から見て光の透らない濃い緑もしくは黒系統とし、二つの円筒形の中間部分を補強するため厚さ１ｍｍ程度のプレート（２ｃ）でつなぎ合わせ、レンズを着脱可能なレンズポケット（１）及びカバー（１ａ）を設け周囲から光が入らない様に厚さ３ｍｍ〜５ｍｍ程、幅１ｍｍ程度の黒くて軟らかいゴムパッキン等の突起（３）をつけた２連フレーム。
【請求項２】
円筒形のフレームの鼻パット（７）を取り去り目じりに当たる部分をフラットにカットし、圧迫感がかからないように厚さ５ｍｍ程度幅２ｍｍ〜３ｍｍ程度の軟らかくて黒いゴムパッキン（８）等で縁取りをした目じりにやさしいということを特徴とする請求項１記載の２連フレーム。
【請求項３】
安定性をキープするため鼻パットを取り去り更に直角フレーム（５）も取り去り目じりの部分を競泳用のゴーグルに用いられているようなゴムベルト（１０）を用いて円筒形のフレームの目じりの部分を円くカットし競泳用のゴーグル形式のフレーム本体（２ｂ）に黒くて軟らかいゴムパッキン（８ａ）更に薄いクッション材（８ｂ）を施し直接円筒形のフレーム両サイドにゴムベルト（１０）をビス（９）で固定し両サイドから後ろへ持っていきクリップホルダー（１１）で長さを調節することを特徴とする請求項１記載の２連フレーム。